(57)【特許請求の範囲】
【請求項１】
水平方向に巻回した水平コイルと、該水平コイルと面対向する水平面を有する単一のマグネットと、を備える磁気回路であって、
前記マグネットは、第１極性部と、該第１極性部に隣接する第２極性部と、を有し、第１極性部と第２極性部とは、前記水平コイルの中心軸方向に互いに逆向きに磁性化され、第２極性部が、マグネットの水平面において第１極性部の１の領域と第１極性部の他の領域との間に配置され、
前記水平コイルの少なくとも一部が、前記マグネットの第１極性部と第２極性部との境界上に配置され、
前記マグネットの水平面上であって、前記境界上を除いた第１極性部上及び／又は第２極性部上に強磁性板を備える磁気回路。
【請求項２】
前記第２極性部が、マグネットの水平面において第１極性部に包囲された構造を有する請求項１に記載の磁気回路。
【請求項３】
前記第２極性部が、マグネットの水平面において複数の第１極性部に挟まれた構造を有する請求項１に記載の磁気回路。
【請求項４】
前記水平コイルは、外周と内周の中央部の少なくとも一部が、マグネットの第１極性部と第２極性部との境界上に配置する請求項１〜３のいずれかに記載の磁気回路。
【請求項５】
前記マグネットは、前記水平面と反対の面に強磁性板を備える請求項１〜４のいずれかに記載の磁気回路。
【請求項６】
磁気回路と、振動板と、を備える音響機器であって、
前記磁気回路は、水平方向に巻回した水平コイルと、該水平コイルと面対向する水平面を有する単一のマグネットとを備え、
前記マグネットは、第１極性部と、該第１極性部に隣接する第２極性部と、を有し、第１極性部と第２極性部とは、前記水平コイルの中心軸方向に互いに逆向きに磁性化され、第２極性部が、マグネットの水平面において第１極性部の１の領域と第１極性部の他の領域との間に配置され、
前記水平コイルの少なくとも一部が、前記マグネットの第１極性部と第２極性部との境界上に配置され、
前記マグネットの水平面上であって、前記境界上を除いた第１極性部上及び／又は第２極性部上に強磁性板を備え、
前記水平コイルまたはマグネットが、前記振動板に固着され、マグネットの磁束を水平コイルに作用させ、水平コイルに電流を印加することにより、振動板が駆動する音響機器。
【発明の詳細な説明】
【技術分野】
【０００１】
本発明は、小型薄型構造で、高い音圧性能を発揮することができる磁気回路に関する。また、本発明は、かかる磁気回路を備え、廉価で製造が容易な音響機器に関する。
【背景技術】
【０００２】
携帯電話などの携帯情報端末の小型化および薄型化が急速に進み、携帯情報端末の中に使用するスピーカなどの音響機器に対しても小型化および薄型化のニーズが高まっている。図５に、従来の薄型スピーカの断面図を例示する（特許文献１参照）。この薄型スピーカは、図５に示すように、放音孔５１を有するフレーム５０の内部に、振動板５２と、マグネット５３と、水平コイル５４と、を備える。振動板５２の外周部はフレーム５０に固定されている。水平コイル５４は、振動板５２の中央部に配置し、水平コイル５４の中心軸Ｔは、振動板５２に対して垂直に配向する。円盤状のマグネット５３は、水平コイル５４の中心軸Ｔと同軸となるように配置され、中心軸Ｔと平行な方向に磁性化されている。円盤状のマグネット５３と水平コイル５４との間には、空隙Ｇが形成されている。
【０００３】
図５に示す薄型スピーカでは、マグネット５３から磁束Ｍ（破線矢印で表示する。）が放射され、磁束Ｍは空隙Ｇを経てコイル５４に作用する。したがって、コイル５４に供給する電流を変化させることにより、振動板５２が駆動し、振動する。図５に示すスピーカは、コイル５４が、中心軸Ｔ方向の積層数より、中心軸Ｔに直交する水平方向の積層数が多い扁平な形状を有するため、薄型化を図ることができる。しかし、このスピーカは、１つの方向に磁性化された単一のマグネットを使用するため、小型化および薄型化に伴い、音圧性能が低下するという問題がある。
【０００４】
図６に、他の態様を有する従来の薄型スピーカの断面図を例示する。この薄型スピーカは、図６に示すように、フレーム６０の内部に、振動板６２と、マグネット６３と、水平コイル６４とを備える。振動板６２の外周部は、フレーム６０とカバー６５により挟まれ、固定されている。水平コイル６４は、振動板６２の裏面に固定され、水平コイル６４は中心軸Ｔに沿って扁平に巻回され、中心軸Ｔは、振動板６２に対して垂直に配向する。マグネット６３は、水平コイル６４と面対向して配置し、中心軸Ｔと平行な方向に磁性化されている。マグネット６３は、一対の直方体状のアウターマグネット６３ａと、直方体状のインナーマグネット６３ｂとからなり、水平コイル６４は、扁平に巻回されているため、スピーカの薄型と小型化が可能である。
【０００５】
この従来の薄型スピーカに使用するマグネットの斜視図を図７に示す。このマグネット６３は、図７（ａ）に示すように、一対のアウターマグネット６３ａとインナーマグネット６３ｂとにより構成され、アウターマグネット６３ａとインナーマグネット６３ｂとは、逆向きに磁性化されている。これらのマグネットにより形成される磁束の状態を図８に示す。図８（ａ）に示すように、インナーマグネット６３ｂとアウターマグネット６３ａにより形成される磁束は重畳するため、密度の高い磁束がコイル６４を通過するので、振動板に作用する駆動力が大きくなり、音圧を高めることができる。
【０００６】
図７（ｂ）に示すように、インナーマグネット６３ｂの表面がアウターマグネット６３ａの表面よりもコイル側へ突出した構造とすると、図８（ｂ）に示すような磁束が形成され、コイル６４に対してより高密度の磁束を作用させることができる。しかし、複数個のマグネットの配置が必要な磁気回路構造は、材料コストが高く、生産性が低下する。また、インナーマグネットの表面をアウターマグネットの表面よりコイル側に突出した構造とすると、マグネットの形状が複雑になり、マグネットのハンドリングが必要となる。
【特許文献１】特許第３２１３５２１号公報
【発明の開示】
【発明が解決しようとする課題】
【０００７】
本発明の課題は、小型化および薄型化が可能で、音圧が高く、簡単な構造の磁気回路を提供することにある。また、高い音圧性能を発揮する小型薄型構造の音響機器であって、廉価で製造が容易な音響機器を提供することにある。
【課題を解決するための手段】
【０００８】
本発明の磁気回路は、水平方向に巻回した水平コイルと、水平コイルと面対向する単一のマグネットと、を備え、マグネットは、第１極性部と、第１極性部に隣接する第２極性部と、を有する。第１極性部と第２極性部とは、水平コイルの中心軸方向に互いに逆向きに磁性化され、第２極性部が、マグネットの水平面において第１極性部の１の領域と第１極性部の他の領域との間に配置する。かかる磁気回路のうち、第２極性部が、マグネットの水平面において、第１極性部に包囲された構造を有する態様、または、第２極性部が、マグネットの水平面において複数の第１極性部に挟まれた構造を有する態様が好ましい。
【０００９】
水平コイルの少なくとも一部が、マグネットの第１極性部と第２極性部との境界上に配置する磁気回路が好適であり、水平コイルにおいて、外周と内周の中央部の少なくとも一部が、マグネットの第１極性部と第２極性部との境界上に配置する磁気回路が特に好適である。また、マグネットが、水平面のうち両面または片面に強磁性板を備える態様が好ましい。
【００１０】
本発明の音響機器は、磁気回路と、振動板と、を備え、磁気回路は、水平方向に巻回した水平コイルと、水平コイルと面対向する単一のマグネットと、を備える。マグネットは、第１極性部と、第１極性部に隣接する第２極性部と、を有し、第１極性部と第２極性部とは、水平コイルの中心軸方向に互いに逆向きに磁性化され、第２極性部が、マグネットの水平面において第１極性部の１の領域と第１極性部の他の領域との間に配置する。水平コイルまたはマグネットは、振動板に固着され、マグネットの磁束を水平コイルに作用させ、水平コイルに電流を印加することにより、振動板が駆動する。
【発明の効果】
【００１１】
構造が簡単であり、小型、薄型で、音圧性能の高い磁気回路を提供することができる。
【発明を実施するための最良の形態】
【００１２】
（磁気回路）
第１の実施形態
本実施形態における磁気回路の構造を図１に示す。図１（ａ）は平面図であり、ＩＢ−ＩＢにより切断したときの断面図が図１（ｂ）である。図１（ｃ）は、マグネットにより形成される磁束を模式的に示した図である。この磁気回路は、図１（ａ）に示すように、水平方向に巻回した水平コイル４と、マグネット３と、からなり、図１（ｂ）に示すように、水平コイル４とマグネット３とは面対向し、マグネット３は単一の板状体である。本実施形態においては、板状のマグネット３を使用するが、本発明におけるマグネット３は、板状体に限らず、たとえば立方体状または直方体状などのマグネットを使用しても有効であり、他の実施形態においても同様である。マグネット３は、第１極性部３ａと、第１極性部３ａに隣接する第２極性部３ｂと、を有し、図１（ａ）に示すように、第２極性部３ｂが、マグネット３の水平面において、第１極性部３ａの１の領域Ａ１と第１極性部３ａの他の領域Ａ２との間に配置する。図１に示す例では、図１（ａ）に示すように、第２極性部３ｂが、マグネット３の水平面において、第１極性部３ａに包囲された構造を有する。また、第１極性部３ａと第２極性部３ｂとは、水平コイル４の中心軸方向に逆向きに磁性化され、図１に示す例では、第１極性部３ａは、水平コイル４の中心軸方向に上面がＳとなるように磁性化され、第２極性部３ｂは、水平コイルの中心軸方向に上面がＮとなるように磁性化されている。ＮＳが逆になるように磁性化しても同様の効果が得られる。
【００１３】
第１極性部３ａは、水平コイル４の中心軸方向に磁性化しているため、図１（ｃ）に示すように、第１極性部３ａにより磁束Ｙ１１，Ｙ１２が形成される。第１極性部３ａに隣接して第２極性部３ｂが配置し、第１極性部３ａの間に第２極性部３ｂが配置する。また、第２極性部３ｂは、水平コイル４の中心軸方向に磁性化され、磁性化の方向が、第１極性部３ａと逆向きであるため、第２極性部３ｂにより図１（ｃ）に示すような磁束Ｚ１が形成される。したがって、図１（ｃ）に示すように、第１極性部３ａにより形成される磁束Ｙ１２と、第２極性部３ｂにより形成される磁束Ｚ１とが、水平コイル４において重畳し、水平コイル４に作用する水平方向の磁束密度が大きくなるため、音圧性能を高めることができる。
【００１４】
本実施形態における磁気回路は、単一のマグネットにより構成されるため、複数のマグネットにより構成される従来の磁気回路に比べて、構造が簡単であり、材料コストを低減し、生産性を高めることができる。また、単一のマグネットに、互いに逆向きに磁性化した第１極性部と第２極性部を有するため、１つの方向に磁性化した単一のマグネットからなる従来の磁気回路に比べて音圧性能を高めることができる。さらに、磁気回路が、水平方向に巻回した扁平な水平コイルと、マグネットにより構成されるため、小型で薄型の磁気回路を提供することができる。
【００１５】
図１（ａ）に示す例では、水平コイル４は、水平方向に同心円状に巻回しているが、円状に限らず、マグネットにおける第１極性部と第２極性部の形状に合わせて、また要求されるニーズに合わせて、四角形、六角形などの多角形状に巻回した水平コイルも有効に使用することができる。図１２に、水平コイルの平面形状を例示する。図１２（ａ）は、図１（ａ）と同様に円状に巻回した水平コイルの例である。図１２（ｂ）〜図１２（ｅ）は、いずれも一方向に長い水平コイルの例であり、図１２（ｂ）は四角形状であり、図１２（ｃ）は楕円形状であり、図１２（ｄ）はトラック状であり、図１２（ｅ）は六角形状である。本明細書において、水平コイルの中心軸とは、水平コイルの水平面における重心Ｃを通過し、水平面に直交する軸をいう。
【００１６】
第２の実施形態
本実施形態における磁気回路の構造を図２に示す。図２（ａ）は平面図であり、ＩＩＢ−ＩＩＢにより切断したときの断面図が図２（ｂ）である。図２（ｃ）は、マグネットにより形成される磁束を模式的に示した図である。この磁気回路は、図２（ａ）に示すように、水平コイル４と、マグネット３と、からなり、図２（ｂ）に示すように、水平コイル４とマグネット３とは面対向し、マグネット３は単一の板状体である。マグネット３は、第１極性部３ａと、第１極性部３ａに隣接する第２極性部３ｂと、を有し、図２（ａ）に示すように、第２極性部３ｂが、マグネット３の水平面において、第１極性部３ａの１の領域Ａ１と第１極性部３ａの他の領域Ａ２との間に配置する。図２に示す例では、図２（ａ）に示すように、第２極性部３ｂが、マグネット３の水平面において、第１極性部３ａに包囲された構造を有する。また、第１極性部３ａと第２極性部３ｂとは、水平コイル４の中心軸方向に逆向きに磁性化されている。また、マグネット３は、水平面のうち底面に、鉄またはパーマロイなどの強磁性体からなる板状体である強磁性板５を備える。
【００１７】
このため、図２（ｃ）に示すように、第１極性部３ａが放出する磁束Ｙ２１，Ｙ２２と、第２極性部３ｂが放出する磁束Ｚ２は、強磁性体５の中を通過するようになり、これにより磁束を水平コイル４側に引き寄せるため、水平コイル４に作用する水平方向の磁束密度が高まり、音圧性能を高めることができる。また、強磁性板５をマグネット３の底面に形成することにより、マグネット３の減磁を抑制することができる。第１極性部３ａが放出する磁束Ｙ２２と、第２極性部３ｂが放出する磁束Ｚ２との水平方向の磁束密度は、第１極性部３ａと第２極性部３ｂとの境界上で最大となるため、水平コイル４の少なくとも一部が、マグネットの第１極性部３ａと第２極性部３ｂとの境界上に配置する態様が、水平コイル４に作用する水平方向の磁束密度を強めて音圧性能を高める点で好ましい。特に、水平コイル４の外周４ａと内周４ｂの中央部４ｃの少なくとも一部が、マグネット３の第１極性部３ａと第２極性部３ｂとの境界上に配置する態様は、水平方向に巻回した水平コイル４の巻線存在領域の中央部４ｃにおいて、水平方向の磁束密度が最大となる点で好ましい。
【００１８】
本実施形態においても、第１の実施形態と同様に、第１極性部３ａにより形成される磁束Ｙ２２と、第２極性部３ｂにより形成される磁束Ｚ２とが、水平コイル４において重畳し、水平コイル４に作用する水平方向の磁束密度が大きくなるため、音圧性能を高めることができる。また、単一のマグネットにより構成されるため、構造が簡単であり、材料コストを低減し、生産性を高めることができる。さらに、１つの方向に磁性化した単一のマグネットからなる従来の磁気回路に比べて音圧性能を高い。また、磁気回路が、水平方向に巻回した扁平な水平コイルと、マグネットにより構成されるため、小型で薄型の磁気回路を提供することができる。
【００１９】
第３の実施形態
本実施形態における磁気回路の構造を図３に示す。図３（ａ）は平面図であり、ＩＩＩＢ−ＩＩＩＢにより切断したときの断面図が図３（ｂ）である。図３（ｃ）は、マグネットにより形成される磁束を模式的に示した図である。この磁気回路は、図３（ａ）に示すように、水平コイル４と、マグネット３と、からなり、図３（ｂ）に示すように、水平コイル４とマグネット３とは面対向し、マグネット３は単一の板状体である。マグネット３は、第１極性部３ａと、第１極性部３ａに隣接する第２極性部３ｂと、を有し、図３（ａ）に示すように、第２極性部３ｂが、マグネット３の水平面において、第１極性部３ａの１の領域Ａ１と第１極性部３ａの他の領域Ａ２との間に配置する。図３に示す例では、図３（ａ）に示すように、第２極性部３ｂが、マグネット３の水平面において、２つの第１極性部３ａに挟まれた構造を有する。図３（ａ）の例に示すように、直線状に磁性化した態様は、磁性化したヨークの構造を簡単にすることができる点で好ましい。第１極性部３ａと第２極性部３ｂとは、水平コイル４の中心軸方向に互いに逆向きに磁性化されている。また、マグネット３は、底面に、鉄またはパーマロイなどからなる強磁性板５を備える。
【００２０】
第１極性部３ａが放出する磁束Ｙ３２と、第２極性部３ｂが放出する磁束Ｚ３との水平方向の磁束密度は、第１極性部３ａと第２極性部３ｂとの境界上で最大となるため、水平コイル４の少なくとも一部が、マグネットの第１極性部３ａと第２極性部３ｂとの境界上に配置する態様が、水平コイル４に作用する水平方向の磁束密度を強めて音圧性能を高める点で好ましい。特に、水平コイル４の外周４ａと内周４ｂの中央部４ｃの少なくとも一部が、マグネット３の第１極性部３ａと第２極性部３ｂとの境界上に配置する態様は、水平方向に巻回した水平コイル４の巻線存在領域の中央部４ｃにおいて、水平方向の磁束密度が最大となる点で好ましい。
【００２１】
本実施形態においても、第１の実施形態と同様に、第１極性部３ａにより形成される磁束と、第２極性部３ｂにより形成される磁束とが、水平コイル４において重畳するため、音圧性能を高めることができる。また、単一のマグネットにより構成されるため、構造が簡単であり、材料コストを低減し、生産性を高めることができる。さらに、１つの方向に磁性化した単一のマグネットからなる従来の磁気回路に比べて音圧性能を高い。また、磁気回路が、水平方向に巻回した扁平な水平コイルと、マグネットにより構成されるため、小型で薄型の磁気回路を提供することができる。また、第２の実施形態と同様に、マグネットの底面に強磁性板を設けることにより、音圧性能を高めることができ、マグネットの減磁を抑制することができる。
【００２２】
第４の実施形態
本実施形態における磁気回路の構造を図４に示す。図４（ａ）は平面図であり、ＩＶＢ−ＩＶＢにより切断したときの断面図が図４（ｂ）である。図４（ｃ）は、マグネットにより形成される磁束を模式的に示した図である。この磁気回路は、図４（ａ）に示すように、水平コイル４と、マグネット３と、からなり、図４（ｂ）に示すように、水平コイル４とマグネット３とは面対向し、マグネット３は単一の板状体である。マグネット３は、第１極性部３ａと、第１極性部３ａに隣接する第２極性部３ｂと、を有し、図４（ａ）に示すように、第２極性部３ｂが、マグネット３の水平面において、第１極性部３ａの１の領域Ａ１と第１極性部３ａの他の領域Ａ２との間に配置する。第１極性部３ａと第２極性部３ｂとは、水平コイル４の中心軸方向に互いに逆向きに磁性化されている。また、マグネット３は、水平面のうち底面に強磁性板５を備え、さらに上面に強磁性板６を備える。
【００２３】
マグネット３の上面に、鉄またはパーマロイなどからなる強磁性板６を形成すると、図４（ｃ）に示すように、強磁性板６を通過する磁束が形成され、強磁性板６が磁束Ｙ４２，Ｚ４を引き寄せるため、水平コイル４に作用する水平方向の磁束密度が高まり、音圧性能を高めることができる。本実施形態においても、第１の実施形態と同様に、第１極性部３ａと第２極性部３ｂにより形成される磁束が、水平コイル４において重畳するため、音圧性能が高い。また、単一のマグネットにより構成されるため、構造が簡単であり、１つの方向に磁性化した単一のマグネットからなる従来の磁気回路に比べて音圧性能が高い。また、扁平な水平コイルとマグネットにより構成されるため、小型で薄型の磁気回路であり、第２の実施形態と同様に、マグネットの底面に強磁性板を備えるため、音圧性能が高く、マグネットの減磁を抑制することができる。
【００２４】
第５の実施形態
本実施形態における磁気回路の構造を図９に示す。図９（ａ）は平面図であり、ＩＸＢ−ＩＸＢにより切断したときの断面図が図９（ｂ）である。図９（ｃ）は、マグネットにより形成される磁束を模式的に示した図である。この磁気回路は、図９（ａ）に示すように、水平コイル４と、マグネット３と、からなり、図９（ｂ）に示すように、水平コイル４とマグネット３とは面対向し、マグネット３は単一の板状体である。マグネット３は、第１極性部３ａと、第１極性部３ａに隣接する第２極性部３ｂと、を有し、図９（ａ）に示すように、第２極性部３ｂが、マグネット３の水平面において、第１極性部３ａの１の領域Ａ１と第１極性部３ａの他の領域Ａ２との間に配置する。第１極性部３ａと第２極性部３ｂとは、水平コイル４の中心軸方向に互いに逆向きに磁性化されている。また、マグネット３は、底面に強磁性板５を備え、さらに上面に強磁性板７を備える。
【００２５】
マグネット３の上面に、鉄またはパーマロイなどからなる強磁性板７を形成すると、図９（ｃ）に示すように、強磁性板７を通過する磁束Ｚ９，Ｙ９１が形成され、強磁性板７が磁束Ｙ９２，Ｚ９を引き寄せるため、水平コイル４に作用する水平方向の磁束密度が高まり、音圧性能を高めることができる。本実施形態においても、第１の実施形態と同様に、第１極性部３ａと第２極性部３ｂにより形成される磁束とが、水平コイル４において重畳するため、音圧性能が高い。また、単一のマグネットにより構成されるため、構造が簡単であり、１つの方向に磁性化した単一のマグネットからなる従来の磁気回路に比べて音圧性能が高い。また、扁平な水平コイルとマグネットにより構成されるため、小型で薄型化が容易であり、第２の実施形態と同様に、マグネットの底面に強磁性板を備えるため、音圧性能が高く、マグネットの減磁を抑制することができる。
【００２６】
第６の実施形態
本実施形態における磁気回路の構造を図１０に示す。図１０（ａ）は平面図であり、ＸＢ−ＸＢにより切断したときの断面図が図１０（ｂ）である。図１０（ｃ）は、マグネットにより形成される磁束を模式的に示した図である。この磁気回路は、図１０（ａ）に示すように、水平コイル４と、マグネット３と、からなり、図１０（ｂ）に示すように、水平コイル４とマグネット３とは面対向し、マグネット３は単一の板状体である。マグネット３は、第１極性部３ａと、第１極性部３ａに隣接する第２極性部３ｂと、を有し、図１０（ａ）に示すように、第２極性部３ｂが、マグネット３の水平面において、第１極性部３ａの１の領域Ａ１と第１極性部３ａの他の領域Ａ２との間に配置する。第１極性部３ａと第２極性部３ｂとは、水平コイル４の中心軸方向に互いに逆向きに磁性化されている。また、マグネット３は、底面に強磁性板５を備え、さらに上面に強磁性板６，７を備える。
【００２７】
第４の実施形態および第５の実施の形態と同様に、マグネット３の上面に、鉄またはパーマロイなどからなる強磁性板６，７を形成すると、図１０（ｃ）に示すように、強磁性板６，７を通過する磁束Ｚ１０が形成され、強磁性板が磁束を引き寄せるため、水平コイル４に作用する水平方向の磁束密度が高まり、音圧性能を高めることができる。また、第２の実施形態と同様に、マグネットの底面に強磁性板を備えるため、音圧性能が高く、マグネットの減磁を抑制することができる。本実施形態においても、第１の実施形態と同様に、第１極性部３ａと第２極性部３ｂにより形成される磁束とが、水平コイル４において重畳するため、音圧性能が高い。また、単一のマグネットにより構成されるため、構造が簡単であり、１つの方向に磁性化した単一のマグネットからなる従来の磁気回路に比べて音圧性能が高い。また、扁平な水平コイルとマグネットにより構成されるため、小型で薄型の磁気回路を提供できる。
【００２８】
第７の実施形態
本実施形態における磁気回路の構造を図１１に示す。図１１（ａ）は平面図であり、ＸＩＢ−ＸＩＢにより切断したときの断面図が図１１（ｂ）である。図１１（ｃ）は、マグネットにより形成される磁束を模式的に示した図である。この磁気回路は、図１１（ａ）に示すように、水平コイル４と、マグネット３と、からなり、図１１（ｂ）に示すように、水平コイル４とマグネット３とは面対向し、マグネット３は単一の板状体である。マグネット３は、第１極性部３ａと、第１極性部３ａに隣接する第２極性部３ｂと、を有し、図１１（ａ）に示すように、第２極性部３ｂが、マグネット３の水平面において、第１極性部３ａの１の領域Ａ１と第１極性部３ａの他の領域Ａ２との間に配置する。第１極性部３ａと第２極性部３ｂとは、水平コイル４の中心軸方向に逆向きに磁性化されている。また、マグネット３は、底面に、鉄またはパーマロイなどからなる強磁性板５を備える。
【００２９】
この磁気回路は、図１１（ａ）に示すように、マグネット３の水平面において、２つの第２極性部３ｂが、１つの第１極性部３ａに包囲された構造を有するため、レイアウトがコンパクトで集約的であり、磁気回路の小型化をより一層促進することができる。また、第２の実施形態と同様に、マグネットの底面に強磁性板を備えるため、音圧性能が高く、マグネットの減磁を抑制することができる。本実施形態においても、第１の実施形態と同様に、第１極性部３ａと第２極性部３ｂにより形成される磁束とが、水平コイル４において重畳するため、音圧性能が高い。また、単一のマグネットにより構成されるため、構造が簡単であり、１つの方向に磁性化した単一のマグネットからなる従来の磁気回路に比べて音圧性能が高い。また、扁平な水平コイルとマグネットにより構成されるため、小型化と薄型化が容易である。
【００３０】
（音響機器）
第８の実施形態
本実施形態における音響機器の構造を図１３に示す。図１３（ａ）および図１３（ｂ）は斜視図であり、図１３（ａ）におけるＸＩＩＩＣ−ＸＩＩＩＣにより切断したときの断面図が図１３（ｃ）である。この音響機器は、図１３（ａ）に例示するように、扁平な円筒状のフレーム８と、フレーム８の前面開口部に円盤状のカバー１０と、を備え、このカバー１０は複数の放音孔９を有する。図１３（ａ）に示すような音響機器には、たとえば図１（ａ）に示すような円形の磁気回路を搭載する。フレーム８の内部は、図１３（ｃ）に示すように、磁気回路と、振動板１１により構成され、振動板１１の外周部はフレーム８に固定する。磁気回路は、水平コイル４と、マグネット３と、からなり、水平コイル４とマグネット３とは面対向し、マグネット３は単一の板状体である。マグネット３は、第１極性部３ａと、第１極性部３ａに隣接する第２極性部３ｂと、を有し、第２極性部が、マグネット３の水平面において、第１極性部３ａの１の領域と第１極性部３ａの他の領域との間に配置する。たとえば、図１（ａ）または図２（ａ）に示すように、第２極性部３ｂが、マグネット３の水平面において、第１極性部３ａに包囲された構造とすることができる。一方、図３（ａ）に示すように、第２極性部３ｂが、マグネット３の水平面において、複数の第１極性部３ａに挟まれた構造とすることができる。
【００３１】
第１極性部３ａと第２極性部３ｂとは、水平コイル４の中心軸方向に逆向きに磁性化されている。図１３（ｃ）には、水平コイル４と振動板１１とを固着した態様を例示するが、水平コイル４とマグネット３の配置を変更し、水平コイル４の代わりに、マグネット３を振動板１１に固着する態様も可能である。水平コイル４の少なくとも一部が、マグネット３の第１極性部３ａと第２極性部３ｂとの境界上に配置する態様が好ましく、水平コイル４の外周と内周の中央部の少なくとも一部が、マグネット３の第１極性部３ａと第２極性部３ｂとの境界上に配置する態様がより好ましい。また、マグネット３は、水平面のうち両面または片面に強磁性板を備える態様が好適である。
【００３２】
この音響機器は、マグネット３の磁束を水平コイル４に作用させ、水平コイル４に電流を印加することにより、振動板を駆動させ、たとえばスピーカまたはレシーバとして有効に使用することができる。図１３（ｂ）に示す音響機器は、長円または楕円状の平面形状を有する扁平な筒状フレーム８と、フレーム８の前面開口部に長円または楕円状のカバー１０と、を備え、このカバー１０は複数の放音孔９を有する。このような音響機器には、たとえば図１１（ａ）に示すような長円または楕円状の磁気回路を搭載することができ、第１の実施形態と同様に、第１極性部３ａと第２極性部３ｂにより形成される磁束とが、水平コイル４において重畳するため、音圧性能が高い。また、単一のマグネットにより構成されるため、構造が簡単であり、１つの方向に磁性化した単一のマグネットからなる従来の磁気回路に比べて音圧性能が高い。また、扁平な水平コイルとマグネットにより構成されるため、小型で薄型構造が可能である。したがって、携帯電話などの音響機器として有用である。
【産業上の利用可能性】
【００３３】
高い音圧性能を発揮する小型薄型構造の音響機器を提供することができる。この音響機器は、廉価で製造が容易である。
【図面の簡単な説明】
【００３４】
【図１】第１の実施形態における磁気回路の構造を示す図である。
【図２】第２の実施形態における磁気回路の構造を示す図である。
【図３】第３の実施形態における磁気回路の構造を示す図である。
【図４】第４の実施形態における磁気回路の構造を示す図である。
【図５】従来の薄型スピーカの断面図である。
【図６】従来の薄型スピーカの断面図である。
【図７】従来の薄型スピーカに使用するマグネットの斜視図である。
【図８】従来の薄型スピーカに使用するマグネットにより形成される磁束の状態を示す図である。
【図９】第５の実施形態における磁気回路の構造を示す図である。
【図１０】第６の実施形態における磁気回路の構造を示す図である。
【図１１】第７の実施形態における磁気回路の構造を示す図である。
【図１２】水平コイルの平面形状を示す図である。
【図１３】第８の実施形態における音響機器の構造を示す図である。
【符号の説明】
【００３５】
３  マグネット、３ａ  第１極性部、３ｂ  第２極性部、４  水平コイル、５，６，７  強磁性板、８  フレーム、９  放音孔、１０  カバー、１１  振動板。
【図１】
0005311836.tif 000002
【図２】
0005311836.tif 000003
【図３】
0005311836.tif 000004
【図４】
0005311836.tif 000005
【図５】
0005311836.tif 000006
【図６】
0005311836.tif 000007
【図７】
0005311836.tif 000008
【図８】
0005311836.tif 000009
【図９】
0005311836.tif 000010
【図１０】
0005311836.tif 000011
【図１１】
0005311836.tif 000012
【図１２】
0005311836.tif 000013
【図１３】
0005311836.tif 000014